(57)【要約】      （修正有）【課題】煙濃度と移動の履歴の情報から煙濃度の分布を把握しつつ効率的に煙発生箇所の特定を行うことのできる煙検知装置を提供する。【解決手段】先端に空気の吸引口を有する吸引ノズルと、吸引ノズルから吸引した空気に含まれる煙濃度を検出する煙濃度検出部（煙検知ユニット２２）と、風向を検出する風向検出部と、吸引ノズルの向きを検出するノズル方向検出部２４と、吸引ノズルの移動量及び移動方向を検出するノズル移動検出部２５と、煙濃度検出部と風向検出部及びノズル移動検出部２５による検出情報の履歴から、ノズル方向検出部２４で検出される吸引ノズルの向きに対する煙発生箇所の方向を推定する制御部２０と、制御部２０で推定された煙発生箇所の方向を表示する方向表示部２６と、を有する。【選択図】図５
2019002793.tif 000002
【特許請求の範囲】
【請求項１】
先端に空気の吸引口を有する吸引ノズルと、
前記吸引ノズルから吸引した空気に含まれる煙濃度を検出する煙濃度検出部と、
風向を検出する風向検出部と、
前記吸引ノズルの向きを検出するノズル方向検出部と、
前記吸引ノズルの移動量及び移動方向を検出するノズル移動検出部と、
前記煙濃度検出部と前記風向検出部及び前記ノズル移動検出部による検出情報の履歴から、前記ノズル方向検出部で検出される前記吸引ノズルの向きに対する煙発生箇所の方向を推定する制御部と、
前記制御部で推定された煙発生箇所の方向を表示する方向表示部と、
を有することを特徴とする煙検出装置。
【請求項２】
前記制御部は、前記吸引ノズルの移動時に、前記煙濃度検出部と前記風向検出部及び前記ノズル移動検出部による検出情報を所定間隔ごとに記録することを特徴とする請求項１記載の煙検出装置。
【請求項３】
前記制御部は、前記吸引ノズルの移動開始時に、前記方向表示部に前記風向検出部により検出された風向の風上方向を表示させることを特徴とする請求項２記載の煙検出装置。
【請求項４】
前記制御部は、前記吸引ノズルの移動開始から移動終了までの間の移動量に対する煙濃度の情報から、煙濃度のピーク位置を決定し、前記方向表示部に前記ピーク位置の方向を表示させることを特徴とする請求項２または３記載の煙検出装置。
【請求項５】
前記制御部は、前記煙濃度のピーク位置に前記吸引ノズルが移動したら、当該位置で検出された風向の風上方向を前記方向表示部に表示させることを特徴とする請求項４記載の煙検出装置。
【請求項６】
前記制御部は、前記煙濃度が所定以上検出され、かつ、煙濃度のピーク位置を決定できない場合には、前記方向表示部に風向き方向と垂直な方向への移動指示を表示させることを特徴とする請求項４または５記載の煙検出装置。
【発明の詳細な説明】
【技術分野】
【０００１】
本発明は、吸引ノズルから吸引した空気に含まれる煙粒子を検知する可搬型の煙検知装置に関する。
【背景技術】
【０００２】
サーバー等を設置したコンピュータルームや半導体製造設備等におけるクリーンルームには、微小な煙を検知可能な高感度の煙検知装置が設置される。高感度の煙検知装置は、監視区域に設置したサンプリング管から空気を吸引し、レーザー光を用いて吸引した空気中に浮遊する粒子を光学的に検出し、粒子数が所定以上となった場合に、警報を出力する。
【０００３】
このような固定式の煙検知装置の他、可搬型の煙検知装置も知られている。可搬型の煙検知装置は、監視区域に持ち込まれて使用されるもので、空気を吸引する吸引ノズルと、吸引ノズルから吸引した空気中の煙濃度を検出する本体部とを有する。作業者は、可搬型の煙検知装置の本体部を把持し、あるいはショルダーストラップ等で体に固定し、吸引ノズルを手で持って移動する。そして、吸引ノズルを様々な箇所に向けることにより、煙の発生箇所を特定することができる。このような煙検知装置としては、例えば特許文献１に挙げるようなものがある。
【先行技術文献】
【特許文献】
【０００４】
【特許文献１】特願２０１４−１８２８０３号明細書
【発明の概要】
【発明が解決しようとする課題】
【０００５】
可搬式の煙検知装置によって煙の発生箇所を特定するには、前述のように監視区域内において作業者が移動しながら吸引ノズルを各所に向けなければならず、闇雲に吸引ノズルを様々な箇所に向けても、煙の発生箇所をなかなか特定できないことがある。煙は風上から風下に向かって流れるので、風上に向かって吸引ノズルを向けていくことも考えられるが、室内であることが多い監視区域において、風向を認識するのは難しく、また、風上方向が認識できたとしても、煙濃度の分布が把握できないと、効率的な煙検知は難しい。また、このような煙検知装置は、非常に高い感度を持つ必要があり、人の目では容易に煙の存在を認識することはできない。
【０００６】
本発明は前記課題を鑑みてなされたものであり、煙濃度と移動の履歴の情報から煙濃度の分布を把握しつつ効率的に煙発生箇所の特定を行うことのできる煙検知装置を提供することを目的とする。
【課題を解決するための手段】
【０００７】
前記課題を解決するため、請求項１の発明に係る煙検知装置は、先端に空気の吸引口を有する吸引ノズルと、
前記吸引ノズルから吸引した空気に含まれる煙濃度を検出する煙濃度検出部と、
風向を検出する風向検出部と、
前記吸引ノズルの向きを検出するノズル方向検出部と、
前記吸引ノズルの移動量及び移動方向を検出するノズル移動検出部と、
前記煙濃度検出部と前記風向検出部及び前記ノズル移動検出部による検出情報の履歴から、前記ノズル方向検出部で検出される前記吸引ノズルの向きに対する煙発生箇所の方向を推定する制御部と、
前記制御部で推定された煙発生箇所の方向を表示する方向表示部と、
を有することを特徴として構成されている。
【０００８】
請求項１に係る発明によれば、煙濃度の分布に基づいて、煙発生箇所の方向に見当をつけながら吸引ノズルを移動させることができるので、煙発生箇所の特定を効率よく行うことができる。
【０００９】
また、請求項２の発明に係る煙検知装置は、前記制御部は、前記吸引ノズルの移動時に、前記煙濃度検出部と前記風向検出部及び前記ノズル移動検出部による検出情報を所定間隔ごとに記録することを特徴として構成されている。
【００１０】
請求項２に係る発明によれば、煙濃度と風向及び吸引ノズルの移動情報の履歴を取得することができ、煙発生箇所の方向の推定を制御部で行うことができる。
【００１１】
さらに、請求項３の発明に係る煙検知装置は、前記制御部は、前記吸引ノズルの移動開始時に、前記方向表示部に前記風向検出部により検出された風向の風上方向を表示させることを特徴として構成されている。
【００１２】
請求項３に係る発明によれば、煙は風上から風下に流れるから、高い確率で煙発生箇所に近づくように、吸引ノズルを移動させることができる。
【００１３】
さらにまた、請求項４の発明に係る煙検知装置は、前記制御部は、前記吸引ノズルの移動開始から移動終了までの間の移動量に対する煙濃度の情報から、煙濃度のピーク位置を決定し、前記方向表示部に前記ピーク位置の方向を表示させることを特徴として構成されている。
【００１４】
請求項４に係る発明によれば、吸引ノズルを煙発生箇所により近づけることができる。
【００１５】
そして、請求項５の発明に係る煙検知装置は、前記制御部は、前記煙濃度のピーク位置に前記吸引ノズルが移動したら、当該位置で検出された風向の風上方向を前記方向表示部に表示させることを特徴として構成されている。
【００１６】
請求項５に係る発明によれば、吸引ノズルを煙発生箇所にさらに近づけるように誘導することができる。
【００１７】
また、請求項６の発明に係る煙検知装置は、前記制御部は、前記煙濃度が所定以上検出され、かつ、煙濃度のピーク位置を決定できない場合には、前記方向表示部に風向き方向と垂直な方向への移動指示を表示させることを特徴として構成されている。
【００１８】
請求項６に係る発明によれば、監視区域内に一定方向の空気の流れがある場合に、風上方向に煙発生箇所が位置しているか否かを判別して、より精度よく煙発生箇所の方向の推定を行うことができる。
【発明の効果】
【００１９】
本発明に係る煙検知装置によれば、煙発生箇所の特定を効率よく行えることで、初期火災を迅速に発見でき、早期の消火により火災の影響を最低限に抑えることができる。
【図面の簡単な説明】
【００２０】
【図１】本実施形態における煙検知装置の平面図である。
【図２】煙検知装置の正面図である。
【図３】警報表示部の拡大図である。
【図４】把手部を手で把持した状態の煙検知装置の平面図である。
【図５】煙検知装置の構成を表したブロック図である。
【図６】煙検知装置を用いた煙検知のフローチャートである。
【図７】監視区域を上から見た模式図である。
【図８】ＡからＢまで移動した場合の煙濃度の分布図である。
【図９】煙検出装置が煙濃度のピークとなる位置まで誘導された状態の監視区域を上から見た模式図である。
【図１０】煙発生箇所から風下方向に向かってほぼ一定の煙濃度が観測される場合の監視区域を上から見た模式図である。
【図１１】第２の形態の煙検知装置の正面図である。
【発明を実施するための形態】
【００２１】
本発明の実施形態について、図面に沿って詳細に説明する。本実施形態の煙検知装置は、可搬型であって、作業者が手で持って監視区域内を移動し、煙の発生箇所を特定するために用いられる。図１には本実施形態における煙検知装置の平面図を、図２には煙検知装置の正面図を、それぞれ示している。これら各図に示すように、本実施形態の煙検知装置は、手で持つことができる筐体１を有している。
【００２２】
筐体１は、略直方体の箱状をなすように形成されている。筐体１の一面からは、吸引ノズル１０が一方向に向かって伸びるように設けられている。吸引ノズル１０は、筐体１に直結される中空状のパイプ部１１を有し、その先端は開口した吸引口１２となっている。吸引口１２は筐体１の内部と連通しており、吸引口１２から吸引した空気を、筐体１内に取り込むことができる。パイプ部１１の先端部には、空気の風向を検出することができる風向検出部１３が設けられている。
【００２３】
風向検出部１３は、超音波発生部と超音波受信部とが対向配置された検出部が２組設けられ、これら２組の検出部が互いに所定角度をなして配置されている。音波の速度は、空気の流速分、変化するから、互いに異なる角度を向いた各検出部での音波の速度を検出することにより、空気がどの方向に向かって流れているかを検出することができる。なお、風向検出部１３としては、これ以外の原理により風向を検出するものであってもよい。
【００２４】
筐体１の吸引ノズル１０が設けられる面と直交する面には、把手部１５と煙濃度表示部１６と電源スイッチ３２及び方向表示部２６が設けられる。把手部１５は、作業者が手で把持できる持ち手状に形成されている。また、煙濃度表示部１６は、バーグラフ状の表示部分であって、検知した煙濃度をリアルタイムに表示することができる。なお、煙濃度表示部１６としては、バーグラフ状のものには限られず、煙濃度を数値で表示するものや、指示計で表示するものなど、別の形態であってもよい。また、煙濃度表示部１６には、表示する煙濃度のレンジを切替えるスイッチ、あるいはレンジを連続的に変化させるボリュームスイッチを設けることもできる。電源スイッチ２５は、煙検知装置における電源供給のオンオフ操作を行うことができる。また、方向表示部２６は、煙の発生箇所を特定する際に、煙の発生箇所と推定される方向を表示する。方向表示部２６には、液晶画面やＬＥＤマトリクスパネル、あるいは、矢印が描かれた小片や方向を示す針などを回転させて方向を表示する機構などを用いることができる。
【００２５】
筐体１の吸引ノズル１０が設けられる面及び把手部１５や煙濃度表示部１６が設けられる面と直交する面には、リセットスイッチ３３及び警報表示部３４が設けられる。リセットスイッチ３３は、煙検知装置においてエラーが発生した場合に、正常状態に復帰させる際に操作される。
【００２６】
図３には、警報表示部３４の拡大図を示している。警報表示部３４は、検知した煙濃度の増加に対応して、注意灯、警戒灯及び警報灯を有している。また、電源供給を示す電源灯、障害発生を示す障害代表灯及び吸引系統の詰まりを示す吸引チェック灯を有している。
【００２７】
図４には、把手部１５を手で把持した状態の煙検知装置の平面図を示している。この図に示すように、把手部１５を作業者が片方の手で把持することで、筐体１を持つことができる。筐体１には、把手部１５と吸引ノズル１０とがいずれも一体的に設けられているので、作業者が把手部１５を手で把持し、その手の向きを変えることにより、吸引ノズル１０の向く方向も変えることができる。また、把手部１５が設けられる面には、煙表示部１６と方向表示部２６及び風速表示部２７が設けられているので、作業者は筐体１を手で把持しながら煙濃度や煙発生が推定される方向及び風速を確認することができる。
【００２８】
図５には、煙検知装置の構成を表したブロック図を示している。この図に示すように、筐体１は、煙検知装置の制御を行う制御部２０と、データを記憶する記憶部２１と、煙濃度の検出を行う煙検知ユニット２２と、空気の吸引を行う吸引ユニット２３と、煙検知装置に電源を供給する電源部３０とを有している。煙検知ユニット２２と吸引ユニット２３は、制御部２０によって動作が制御される。電源部３０は、充電池からなる。
【００２９】
また、制御部２０には、煙濃度表示部１６と電源スイッチ３２及びリセットスイッチ３３が接続される。電源スイッチ３２がオフからオンに操作されると、電源部３０から各部に対し電源が供給され、制御部２０や煙検知ユニット２２、吸引ユニット２３等が動作状態となる。
【００３０】
さらに、制御部２０には、警報表示部３４、方向表示部２６、風速表示部２７、ノズル方向検出部２４、ノズル移動検出部２５及び音響出力可能なスピーカーなどからなる音響出力部３６が接続される。制御部２０からは、正常、注意、警戒、警報、障害などの状態に応じて音声信号が出力され、音響出力部３６は当該音声信号に基づくブザー鳴動あるいは音声出力を行う。ノズル方向検出部２４は、吸引ノズル１０がどの方向を向いているか検出できるセンサであって、内部にジャイロセンサなどを有している。また、ノズル移動検出部２５は、直行する三軸方向について吸引ノズル１０がどれだけ移動したかを検出できるセンサであって、内部に三軸の加速度センサなどを有している。風速表示部２７には、液晶画面や７セグメントＬＥＤなどを用いることができる。
【００３１】
煙検知ユニット２２は、吸引ノズル１０を介して吸引した空気を引込管に取込み、この引込管を流れる気流に対し、レーザー光を集光させ、１マイクロメートル程度の検煙点を形成する。この検煙点を煙粒子が通過する際に発生する散乱光を、レーザー光の光軸と交差する光軸となるように配置したフォトダイオードにより受光し、検出パルスを出力してカウントし、このカウント数により微小な煙濃度を検出することができる。煙検知ユニット２２で検出した煙濃度の情報は、制御部２０に送られ、制御部２０は、煙検知ユニット２２で検出した煙濃度に応じた表示を煙濃度表示部１６にさせることができる。
【００３２】
吸引ユニット２３は、内部に吸引ファンを有し、これによって吸引ノズル１０の吸引口１２から空気を吸引することができる。吸引ノズル１０から吸引された空気は、前述のように煙検知ユニット２２に取り込まれる。また、筐体１の底面には、図示しないが排出口が形成されており、この排出口から空気が排出される。
【００３３】
電源部３０は、電源回路部３１と接続されている。電源回路部３１は、ＡＣコンセントに接続可能なＡＣプラグを接続することができ、ＡＣ１００ボルトを入力することで、所定の直流電圧に変換して電源部３０に出力することができる。これにより、電源部３０には、電源回路部３１から電力が入力され、充電がなされる。
【００３４】
次に、本実施形態の煙検知装置の使用方法について説明する。監視区域には、固定式の煙検知装置が設置されており、この煙検知装置において所定以上の煙濃度が検出された場合に、作業者が本実施形態の煙検知装置を持って、監視区域の煙発生場所を特定する作業を行う。このとき、作業者は、電源スイッチ２５をオフからオンに操作し、煙検知装置の電源を投入すると共に、筐体１０の把手部１５を片方の手で持って作業を行う。
【００３５】
図６には、煙発生箇所を特定するフローチャートを示している。まず、制御部２０は、最初の地点における風向を風向検出部１３に検出させる（Ｓ１）。風向を検出したら、制御部２０は、方向表示部２６に風上方向を表示させる（Ｓ２）。方向表示部２６での方向表示は、ノズル方向検出部２４により検出される方向の情報を基に、方向の補正を行いつつ方向表示する。具体的には、風向の検出時に、制御部２０はノズル方向検出部２４から方向の情報も同時に取得し、その後は、所定間隔毎にノズル方向検出部２４から方向の情報を取得して、角度の変化量に応じて方向表示部２６での表示方向を補正する。以下においても同様である。
【００３６】
図７には、監視区域４０を上から見た模式図を示している。この図には、煙の発生箇所４１と空調口４２及び煙濃度の分布を示している。煙は、監視区域４０内における風上から風下に向かって、発生箇所から扇状に広がるように拡散していく。また、空調からの風速がある程度以上あれば、煙の発生箇所４１からの煙は天井付近に留まるのではなく、発生箇所から横に流れていくと考えられる。最初の時点で、煙検知装置は図中Ａに位置しているものとする。また、Ａの位置において、風向検出部１３では矢印４２の方向の風向が検出されたものとする。この場合、制御部２０は方向表示部２６に風上方向である矢印４３の方向を表示させる。
【００３７】
次に、制御部２０は煙検知装置の移動開始を待機する（Ｓ３）。制御部２０は、ノズル移動検出部２５において、いずれかの方向への所定以上の移動が検出された場合に、移動が開始されたと判断する。移動が開始されたら、制御部２０は、煙検知ユニット２２による煙濃度の情報と、風向検出部１３による風向の情報と、ノズル移動検出部２５による移動の情報とを、所定間隔毎に取得し、これらを関連付けて記憶部２１に記憶させる（Ｓ４）。これを移動が終了するまで継続する（Ｓ５）。移動の終了は、ノズル移動検出部２５において、単位時間内の移動量が所定以下となることで判別される。なお、移動中において、煙濃度は手元の煙濃度表示部１６で表示されるので、作業者は煙濃度をリアルタイムに把握することができる。
【００３８】
移動が終了したら、制御部２０は取得した煙濃度の履歴を読み出し、所定以上の煙濃度が検出されたか否かを判別する（Ｓ６）。煙濃度が所定以上検出されなかった場合、Ｓ１からの動作を繰り返す。所定以上の煙濃度が検出された場合、制御部２０は煙濃度がピークとなる位置を検出する（Ｓ７）。
【００３９】
Ｓ３からＳ６までの間に、図７においては、図中ＡからＢまで移動したものとする。ＡからＢまで移動した場合の煙濃度の分布を図８（ａ）に示している。図７においてＡからＢまで移動すると、この図のように中間のＣの位置にピークが現れる。Ｓ７においては、ノズル移動検出部２５による移動の情報と煙検知ユニット２２による煙濃度の情報から、煙濃度がピークとなる位置が現在の位置からどの方向にどれだけ離れているかを検出する。
【００４０】
図８には、煙濃度の分布の別パターンについても示している。図８（ｂ）のように、ＡからＢまで煙濃度が上がり続けるパターンの場合、Ｂの位置をピークとなる位置と判別する。図８（ｃ）のように、ＡからＢまで煙濃度が下がり続けるパターンの場合、Ａの位置をピークとなる位置と判別する。図８（ｃ）のように、煙濃度がある程度のレベルであまり変動がない場合、ピークとなる位置を検出できない。このような場合、ピークとなる位置を検出不能と判別する。
【００４１】
煙濃度の分布により、ピークとなる位置を検出できた場合（Ｓ８）、制御部２０は方向表示部２６にピークとなる位置の方向を表示させる（Ｓ９）。煙検出装置が移動し、煙濃度のピークとなる位置に到達したら（Ｓ１０）、制御部２０は方向表示部２６にその地点での風上方向を表示させる（Ｓ１１）。図９には、煙検出装置が煙濃度のピークとなる位置まで誘導された状態の模式図を示している。煙濃度のピークとなるＣの位置では、矢印４４の方向の風向が検出されていた。そこで、制御部２０は方向表示部２６に風上方向である矢印４５の方向を表示させる。
【００４２】
このような煙分布は、図９に示すような室内の風速が比較的小さな時に発生する。この時、熱気流により煙は発生箇所４１から上昇し、天井面に沿うように流れていき、部屋の下方に対流により拡散する。よって、極初期の火災段階では部屋の天井付近にしか煙は存在せず、煙検出装置の吸引口１２を天井付近に向けて測定する必要がある。吸引口１２に設けた風向検出部１３により測定された風速は、風速表示部２７に表示されるので、例えばその風速が１０ｃｍ／ｓ以下であった時に、無風であると判断し、吸引口１２を天井付近に向けて、測定を再開するようにすることができる。
【００４３】
その後は、Ｓ３に戻ってそれ以降の動作を繰り返す。図９では、Ｃの位置から風上方向に移動してＤの位置に到達する。この場合、Ｅの位置が煙濃度のピークとなる位置であるから、煙検出装置はＤの位置からＥの位置に誘導される。Ｅの位置は煙濃度が高いので、その周辺各所に吸引ノズル１０を向けることにより、煙発生箇所４１を発見することができる。ここまでで煙発生箇所を発見できなかった場合には、Ｓ３〜Ｓ１１のステップが繰り返される。
【００４４】
Ｓ８において煙濃度のピークとなる位置が検出できなかった場合、図１０のような煙濃度の分布が考えられる。この分布は、一部のクリーンルームなどにおいて、一方の壁面から他方の壁面に向かって一定の気流となるように風向が制御されている場合などに見られるもので、煙発生箇所４１から風下方向に向かってほぼ一定の煙濃度が観測される。この場合、図８（ｄ）のような分布となり、ピークとなる位置を検出できない。
【００４５】
図１０のような分布の場合、風向と垂直な方向に吸引ノズル１０を移動させることで、煙濃度の変化を検出することができる。そこで、Ｓ８で煙濃度のピークとなる位置を検出できなかった場合、制御部２０は方向表示部２６に風向と垂直な方向を表示させる（Ｓ１２）。その後、制御部２０は移動開始を待機し（Ｓ１３）、移動を開始したら、煙濃度の情報と風向の情報及びノズル移動検出部２５による移動の情報を所定間隔毎に取得し（Ｓ１４）、移動が終了したら（Ｓ１４）、煙濃度のピークとなる位置を検出する（Ｓ１６）。ここでピークとなる位置が検出できれば（Ｓ１７）、煙発生箇所は風上方向にあるものと推定できるので、制御部２０は方向表示部２６に風上方向を表示させる（Ｓ１８）。Ｓ１７でピークとなる位置が検出できなかった場合には、煙発生箇所は別の方向にあると推定されるので、方向表示部２６に風上とは別方向を表示させる（Ｓ１９）。その後はＳ３に戻ってそれ以降の動作を繰り返す。
【００４６】
このように、本実施形態の煙検出装置は、風向を検出する風向検出部１３と、吸引ノズル１０の向きを検出するノズル方向検出部２４と、吸引ノズル１０の移動量及び移動方向を検出するノズル移動検出部２５とを有し、煙濃度と風向、吸引ノズル１０の移動の情報から、ノズル方向検出部２５で検出される吸引ノズル１０の向きに対する煙発生箇所の方向を推定し、その方向を方向表示部２６に表示させるようにしたことで、煙発生箇所の方向に検討をつけながら吸引ノズル１０を移動させることができるので、煙発生箇所の特定を効率よく行うことができる。これにより、初期火災を迅速に発見でき、早期の消火により火災の影響を最低限に抑えることができる。
【００４７】
ここまで、吸引ノズル１０を有する筐体１が、煙検知ユニット２２等を有する煙検知装置について説明したが、煙検知ユニットを有する本体部と吸引ノズルを有するノズル部とが分離していてもよい。図１１には、第２の形態の煙検知装置の正面図を示している。この図に示すように、本形態の煙検知装置は、本体部５０とノズル部５１とが、ホース部材５２によって接続されて構成されている。
【００４８】
本体部５０は、箱状に形成された本体部筐体６０を有しており、その上面には手で持つことができる本体把手部６１が設けられている。本体部筐体６０の正面には、煙濃度のレベルを表示する警報表示部６２が配置されている。また、本体部筐体６０の側面には、ホース部材５２を接続するホース接続部６３が形成されている。本体部５０内には、制御部２０、記憶部２１、煙検知ユニット２２、吸引ユニット２３、電源部３０、電源回路部３１、音響出力部３６などが設けられている。
【００４９】
図１１に示すように、ノズル部５１は、箱状に形成されたノズル部筐体７０を有している。ノズル部筐体７０には、本体部５０からのホース部材５２を接続するホース接続部７１が形成されている。ノズル部筐体７０のホース接続部７１が設けられる面と反対側の面には、吸引ノズル７３が設けられている。吸引ノズル７３は、先端に吸引口７４と、風向検出部とを有している。また、ノズル部５１は、ノズル方向検出部２４、ノズル移動検出部２５などを内部に有している。なお、ノズル部５１の上面には、方向表示部２６が設けられる。
【００５０】
このような煙検知装置においても、第１の形態の煙検知装置と同様に、風向検出部１３と煙検知ユニット２２、ノズル方向検出部２４及びノズル移動検出部２５からの情報を基に、煙発生箇所の方向を推定し、その方向を方向表示部２６に表示させることで、煙発生箇所の特定を効率よく行うことができる。
【００５１】
以上、本発明の実施形態について説明したが、本発明の適用は本実施形態には限られず、その技術的思想の範囲内において様々に適用されうる。
【符号の説明】
【００５２】
１    筐体
１０    吸引ノズル
１１    パイプ部
１２    吸引口
１３    風向検出部
１５    把手部
１６    煙濃度表示部
２０    制御部
２１    記憶部
２２    煙検知ユニット
２３    吸引ユニット
２４    ノズル方向検出部
２５    ノズル移動検出部
２６    方向表示部
３０    電源部
３１    電源回路部
３２    電源スイッチ
３３    リセットスイッチ
３４    警報表示部
３５    ファンスイッチ
３６    音響出力部
４０    監視区域
４１    煙発生箇所
【図１】
2019002793.tif 000003
【図２】
2019002793.tif 000004
【図３】
2019002793.tif 000005
【図４】
2019002793.tif 000006
【図５】
2019002793.tif 000007
【図６】
2019002793.tif 000008
【図７】
2019002793.tif 000009
【図８】
2019002793.tif 000010
【図９】
2019002793.tif 000011
【図１０】
2019002793.tif 000012
【図１１】
2019002793.tif 000013